(57)【特許請求の範囲】
【請求項１】
壁面やボックス等に取り付けられるベ一スの内部に発光ダイオードを用いた光源を設けると共に前記べ一スの前部を覆って透光性の赤色グローブを装着し、更に前記べ一スの背後に外部からの電源線を接続する端子部を一体に設けた防災機器表示灯に於いて、
前記光源は、予め定めた所定の取付姿勢の状態でベ一ス前方から見て斜め４５度の方向に複数の発光ダイオードを配列し、
前記複数の発光ダイオードはプリント基板に実装され、前記プリント基板は前記端子部内部の前方に開放して形成した回路収納部に組み込まれ、
前記端子部は、ベ一ス背後から見て斜め４５度方向に傾けて形成された矩形ブロック形状を有し、該矩形ブロック形状の斜め下向きの面を配線ブロック面として配線差込み穴を設けると共に、前記配線ブロック面に形成した配線差込み穴に挿入された電源線を挟着して接続固定し、前記ブロック背面の一体形成した解除片の押圧で電源線の接続固定を解除する配線接続機構を内蔵したことを特徴とする防災機器用表示灯。
【請求項２】
請求項１記載の防災機器用表示灯に於いて、前記配線接続機構を構成する差込端子式の端子金具は、前記プリント基板の前記発光ダイオードの実装位置の反対側に実装され、前記プリント基板を前記回路収納部に組み込んだ状態で、前記配線差込み穴と対応する位置に配置されることを特徴とする防災機器用表示灯。
【発明の詳細な説明】
【０００１】
【発明の属する技術分野】
本発明は、火災発信機等を備えた機器収納箱や消火栓箱等に設置された赤色点灯する防災機器用表示灯に関し、特に、光源に発光ダイオードを使用した防災機器用表示灯に関する。
【０００２】
【従来の技術】
従来、火災発信機等を備えた機器収納箱や消火栓箱等に使用される防災機器用表示灯としては、例えば図１０のものがある。
【０００３】
図１０（Ａ）は正面図、図１０（Ｂ）は側面図であり、防災機器用表示灯１００は、壁面やボックス等に取付ける表示灯本体となるベース１０１と透光性の赤色グローブ１０２で構成され、ベース１０１の背後に外部からの電源線を接続する端子部１０３を一体に設けている。
【０００４】
図１１（Ａ）は断面図であり、図１１（Ｂ）は背面図である。赤色グローブ１０２が装着されたベース１０１の内部にはソケット１０４が設けられ、ソケット１０４に口金１０６を備えたランプユニット１０５を装着している。ランプユニット１０５は口金１０６の前部に複数のＬＥＤ１０７を設けている。
【０００５】
ランプユニット１０４のＬＥＤ１０７は、図１１（Ｃ）に取り出して示すように、中心に１つ、その周囲に４つの合計５つのＬＥＤ１０７を配置している。ＬＥＤ１０７は、ＡＣ電源の供給で５つが点灯し、ＤＣ電源の供給で中心の１つを含み直線上に３つが点灯する。
【０００６】
端子部１０３は、表示灯取付状態で一対の接続端子１０８が上下方向に位置するように配置されており、接続ネジ１０９により外部からの電源線を接続端子１０８に接続固定する。
【０００７】
【発明が解決しようとする課題】
しかしながら、このような従来の防災機器用表示灯にあっては、端子部１０３にネジ式の端子を使用しているため、端子部１０３が外部に露出しており、長期間使用している間に腐食しやすく、水滴が付着した場合に絶縁性が低下する問題がある。
【０００８】
また従来のランプユニット１０５は、口金式であることから、ベース１０１に対するランプユニット１０５の取付けや交換は容易であるが、ソケット１０４及び口金１０６を備えた高価な専用のランプユニット１０５を別途準備しなければならず、また端子部１０３とは一体化できないため製作に工数とコストがかかる問題がある。
【０００９】
更に、ランプユニット１０５に設けたＬＥＤ１０７の位置は、端子部１０３のソケット１０４にねじ込みにより装着する口金１０６があることで、ベース１０１から光軸方向に見た高さＨを低くすることができず、前方から赤色グローブ１０２を見たときの発光面積が十分に確保できず、先方からの視認性に改善の余地が残されている。
【００１０】
本発明は、このような問題点に鑑みてなされたもので、発光ダイオードを用いた場合の視認性を向上し、端子部の絶縁性を高め、更に全体としてコストダウンを図るようにした防災機器用表示灯を提供することを目的とする。
【００１１】
【課題を解決するための手段】
この目的を達成するため本発明は次のように構成する。まず本発明は、壁面やボックス等に取り付けられるベースの内部に発光ダイオードを用いた光源を設けると共に、ベースの前部を覆って透光性の赤色グローブを装着し、更にベースの背後に外部からの電源線を接続する端子部を一体に設けた防災機器用表示灯を対象とする。
【００１２】
このような防災機器用表示灯につき本発明は、光源として、予め定めた所定の取付姿勢の状態でベース前方から見て斜め４５度の方向に複数の発光ダイオードを配列したことを特徴とする。
【００１３】
このように斜め４５度の方向に複数の発光ダイオードを配列したことで、壁面や取付ボックスに対する表示灯の取付位置が予め定めた取付姿勢から例えば９０度毎の誤った姿勢で取り付けられていても、複数の発光ダイオードは、ベース前方から見て常に斜め４５度の方向にあり、この発光ダイオードを側方から見た場合の上下方向の発光部位の幅は、常に同じになる。このため、表示灯の取付姿勢がずれても、側方から見た発光ダイオードを用いた光源の視認性を適切に確保できる。
【００１４】
ここで複数の発光ダイオードはプリント基板に実装され、プリント基板は端子部内部の前方に開放して形成した回路収納部に組み込まれる。このように発光ダイオードはプリント基板に実装されており、従来のようにソケットにねじ込む口金を備えた高価な専用のランプユニットを必要とせず、通常の回路部品と同様に発光ダイオードを使用した光源を得ることができ、製作が容易でコストダウンができる。
【００１５】
また口金を必要とせずにプリント基板に発光ダイオードを実装しているため、ベースから見た光軸方向の発光ダイオード配置位置の高さを十分に低くすることができ、前方から見た赤色グローブの発光面積を拡大し、先方からの視認性を向上できる。
【００１６】
端子部は、ベース背後から見て斜め４５度方向に傾けて形成された矩形ブロック形状を有し、この矩形ブロック形状の斜め下向きの面を配線ブロック面として配線差込み穴を形成している。
【００１７】
この端子部を構成する矩形ブロックを斜め４５度に傾けて配置し、下向きの面を配線差込み穴を備えた配線ブロック面としているため、上方から壁面に沿って流れてくる水滴は、屋根型に配置されている上向きのブロック面を通って落下し、配線差込み穴を備えた下向きの配線ブロック面に付着せず、端子部の絶縁性を向上する。
【００１８】
更に、端子部は、配線ブロック面に形成した配線差込み穴に挿入された電源線を挟着して接続固定し、前記ブロック背面に一体形成した解除片の押圧で電源線の接続固定を解除する配線接続機構を内蔵している。このように電源線の配線接続機構が端子部に内蔵され、外部に露出することがないため、長期間使用した場合の腐食と絶縁性の低下を抑制する。
【００１９】
【発明の実施の形態】
図１は本発明の防災機器用表示灯の説明図であり、図１（Ａ）が側面図、図１（Ｂ）が正面図である。本発明の防災機器用表示灯１は、表示灯本体となるベース２、透光性の赤色グローブ３で構成され、ベース２の背後に端子部４を一体に形成している。赤色グローブ３は図１（Ｂ）の正面から分かるように、グローブ内面に形成した同心円上のリング溝が透けて見える。また、赤色グローブ３の中には、至近距離において３つの発光ダイオード８ａ〜８ｃを斜め４５度方向に配列した光源８が透けてわずかに見える。
【００２０】
図２は本発明の防災機器用表示灯の組立分解図である。ベース２は前方の開口部６の内周にネジ穴２ａを形成しており、このネジ穴２ａに赤色グローブ３の後部のネジ部３ａがねじ込み固定される。ベース２の背後に一体に形成した端子部４は、前方の開口部６側に開口した回路収納部５を内蔵している。
【００２１】
この回路収納部５にはプリント基板を組み込み位置決めするためのガイド部５ａ，５ｂが一体に設けられており、プリント基板７は、前方よりこのガイド部５ａ，５ｂに沿って組み込まれる。プリント基板７は前方に光源８を構成する高輝度型の３つの発光ダイオード８ａ，８ｂ，８ｃを一列に並べて実装している。
【００２２】
ここで光軸３２上に位置する中央の発光ダイオード８ｂは、発光した光を光軸を中心に所定方向に放射する指向特性を備えた指向タイプの発光ダイオードであり、その両側に位置する発光ダイオード８ａ，８ｃは発光した光を拡散させる拡散特性を備えた拡散タイプの発光ダイオードである。
【００２３】
またプリント基板７には一対の配線接続機構９ａ，９ｂとして、差込端子式の端子金具が実装されている。この配線接続機構９ａ，９ｂは、ベース２の回路収納部５に組み込んだ状態で、端子部４に設けている４つの配線差込み穴１０ａ，１０ｂ，１０ｃ，１０ｄに対応している。
【００２４】
配線接続機構９ａに対する配線の接続は、配線差込み穴１０ａ〜１０ｄより電源線の皮剥きした芯線を端子金具に挿入するだけで接続できる。また接続した電源線の取り外しは、後の説明で明らかにする端子部４の背面側に設けている解除片を指やドライバ等で押すことで取り外すことができる。従って、従来のネジ式の端子に比べ接続作業が容易になる。
【００２５】
更にプリント基板７には、一対の配線接続機構９ａからの直流電源または交流電源の供給に対し３つの発光ダイオード８ａ〜８ｃを点灯駆動するための回路を構成する回路部品が実装されている。
【００２６】
ベース２の回路収納部５に対しては、プリント基板７を組み込んだ状態で前方よりプリント基板カバー１１が装着される。プリント基板カバー１１は中央にスリット状のランプ穴１２を開口しており、その両側に一対の係止片１３を後方に突出し、ベース２の回路収納部５の開口部に形成されている係合穴に対する係合片１３の嵌込みで、ベース２に対しプリント基板カバー１１を取り付けることができる。
【００２７】
このプリント基板カバー１１のベース２に対する取付け状態で、そのランプ穴１２の中にプリント基板７に実装している３つの発光ダイオード８ａ〜８ｃが一列に並んで配置され、光源８を構成する。
【００２８】
図３は本発明の防災機器用表示灯の断面図であり、図２の組立分解図における水平面を断面として表わしている。この断面図から明らかなように、端子部４の内部に形成された回路収納部５の中にプリント基板７がガイド部５ａに沿って組み込まれ、更にプリント基板カバー１１のベース２に対する係合で、プリント基板７の端面側に実装している３つの発光ダイオード８ａ〜８ｃが光軸３２の方向に位置決めされている。
【００２９】
また端子部４の側面には、複数の配線差込み穴の中の１つ、例えば配線差込み穴１０ｂが位置しており、これに対向して内部にプリント基板７に実装した配線接続機構９ａとしての端子金具が位置している。
【００３０】
図４は本発明の防災機器用表示灯の背面図であり、端子部４の詳細構造を表わしている。図４（Ａ）の背面図において、ベース２の背後に一体に形成された端子部４は、直方体の矩形ブロック１４を構成しており、矩形ブロック１４は図示のベース２の取付状態において斜め４５度の傾きをもって形成されている。
【００３１】
このため、端子部４を形成する矩形ブロック１４の周囲の４つのブロック面１４ａ，１４ｂ，１４ｃ，１４ｄのうち、上方に位置する２つのブロック面１４ａ，１４ｂは、端子部４に対する上方からの水滴の付着を防ぐ屋根として機能する。
【００３２】
この上方に位置するブロック面１４ａ，１４ｂに対し、下方に位置する大きい方のブロック面１４ｄは配線ブロック面であり、ここに図２の組立分解図のように、４つの配線差込み穴１０ａ〜１０ｄを開口している。
【００３３】
更に矩形ブロック１４の背面には、下方に位置する配線差込み穴を備えた矩形ブロック面１４ｄの位置を除き残り３つのブロック面１４ａ，１４ｂ，１４ｃに沿う形でリブ１５を突出形成している。
【００３４】
このリブ１５の内側となるブロック背面には、図４（Ｂ）に拡大して示すように、切欠２１ａ，２１ｂの形成によって片持ち構造を持つ解除片２０ａ，２０ｂが形成されている。リブ１５は、この解除片２０ａ，２０ｂを形成するための切欠２１ａ，２１ｂに対する上部からの水滴の付着、侵入を防ぐことになる。
【００３５】
解除片２０ａ，２０ｂは内側に押圧突起（図示せず）を備えており、図２に示した配線接続機構９ａ，９ｂの端子金具に設けた後の説明で明らかにする一対の板バネを同時に押圧し、接続状態にある電源線を取り外すために使用する。
【００３６】
また図４（Ａ）の背面図において、ベース２の部分には上下左右の４箇所に取付穴１６ａ，１６ｂ，１６ｃ，１６ｄを設けている。また端子部４の斜め４５度方向となる２箇所に取付丸穴１７ａ，１７ｂを設けている。
【００３７】
端子部４を構成する矩形ブロック１４のブロック面１４ｂ，１４ｄの付け根部分には係合穴１９が開口しており、この中に図２で前方より嵌め入れたプリント基板カバー１１の係止片１３が係合している。
【００３８】
更にベース２の背後には、ストリップマーカ１８が型として描かれている。このストリップマーカ１８は、水平方向に示す矢印の長さが端子部４に挿入接続する電源線の皮剥きを必要とする芯線の長さを示している。したがって、配線時には、電源線の皮剥きをストリップマーカ１８の矢印の長さに合わせて行うことで、芯線の不足や長すぎることなく、配線差込み穴から確実に端子部４の内部に電源線を挿入して接続することができる。
【００３９】
図５は図２に示したプリント基板７を取り出している。図５（Ａ）はプリント基板の平面図、図５（Ｂ）はその側面図である。プリント基板７には高輝度型の３つの発光ダイオード８ａ，８ｂ，８ｃが実装され、中央の発光ダイオード８ｂは指向性タイプ、両側の発光ダイオード８ａ，８ｃは拡散タイプとなっている。
【００４０】
発光ダイオード８ａ〜８ｃと反対側の位置には一対の配線接続機構９ａ，９ｂを構成する差込端子式の端子金具が実装されている。配線接続機構９ａ，９ｂとなる端子金具のそれぞれには、一対の板バネ２５ａ，２５ｂ及び２５ｃ，２５ｄが、それぞれ枠状の端子板２６ａ，２６ｂの中に組み込まれている。
【００４１】
板バネ２５ａ〜２５ｄは、図５（Ｃ）の板バネ２５ａの部分の断面のように、端子板２６ａ，２６ｂの中にバネ保持部２８ａを嵌め込むことで固定され、反対側に屈曲してバネ端部２７をプリント基板７側に対し斜め楔状に配置している。この端子板２６ａに組み込まれた板バネ２５ａに対しては、図示しない端子部に開口している配線差込み穴１０ａを介して電源線２２の芯線２３が矢印のように挿入され、バネ先端２７と端子板２６ａの間に挿入され、バネ先端２７の楔作用により抜け止め固定される。
【００４２】
バネ先端２７と端子板２６ａの間に挿入固定された芯線２３は、図４（Ｂ）の端子部４の背面に設けている解除片２０ａ，２０ｂを押し込むことで、矢印２９のようにバネ端部２７を押し上げ、これによって芯線２３の固定状態を解除することができる。
【００４３】
また図５（Ａ）（Ｂ）のように、プリント基板７にはダイオードＤ１〜Ｄ４及び抵抗Ｒ１の部品が実装されている。これによってプリント基板７には、図５（Ｄ）に示す駆動回路が実装されている。
【００４４】
図５（Ｄ）の駆動回路は、ダイオードＤ１〜Ｄ４でダイオードブリッジを構成し、ダイオードＤ１とＤ４の間に抵抗Ｒ１を介して端子板２６ａを接続し、ダイオードＤ２とＤ３の間に端子板２６ｂを接続している。
【００４５】
ダイオードＤ１，Ｄ２の接続点となるプラス直流出力端には３つの発光ダイオード８ａ，８ｂ，８ｃが直列接続され、その先をダイオードＤ３とＤ４の接続点となるマイナス直流出力に接続している。
【００４６】
この図５（Ｄ）の駆動回路によれば、例えば端子板２６ａ，２６ｂ間に直流駆動電圧例えばＤＣ２４ボルトを供給すると、ダイオードブリッジを介して３つの発光ダイオード８ａ〜８ｃを発光駆動できる。この場合の直流電源の接続極性は、ダイオードブリッジを設けているために特別に決める必要はなく、無極性化されている。また端子板２６ａ，２６ｂに交流電源を供給した場合にも、ダイオードブリッジによる整流出力により３つの発光ダイオード８ａ〜８ｃを発光駆動することができる。
【００４７】
尚、板バネ２５ａ，２５ｃは駆動電源を供給する電源線２２を保持するための板バネであり、これに対し板バネ２５ｂ，２５ｄは次段に接続される防災機器用表示灯に電源供給の配線を行うための渡り用の電源線を保持するために使用される。
【００４８】
図６は本発明の防災機器用表示灯の端子部４に対する配線接続作業の説明図である。表示灯のベース背後に一体に設けられた端子部４は、その配線ブロック面１４ｄに４つの配線差込み穴１０ａ〜１０ｄを設けている。例えば配線差込み穴１０ｄに対する配線接続は、接続しようとする電源線２２の被覆を除去して芯線２３を規定長さ取り出す。
【００４９】
この芯線２３を矢印のように端子部４の配線差込み穴１０ａに押し込むことで、図５（Ｃ）に示したように、内部のプリント基板７に実装している配線接続機構９ａの板バネ２５ａのバネ端部２７と端子板２６ａの間に芯線２３が嵌め込まれ、楔作用により接続固定される。
【００５０】
一方、端子部４に接続した電源線２２を取り外したい場合には、例えば配線挿入穴１０ａに接続している電源線の取り外しを例にとると、例えばドライバ２４により配線差込み穴１０ａに対応する解除片２０ａを押し込むことで、図５（Ｃ）のように内部のプリント基板７に実装している配線接続機構９ａの板バネ２５ａ，２５ｂのバネ端部２７が押し上げられ、芯線を外すことができる。
【００５１】
このようにプリント基板７に光源８となる発光ダイオード８ａ〜８ｃ、駆動回路配線接続機構９ａ，９ｂを実装し、ベース２に一体に形成した端子部４に内蔵された回路収納部５に組み込むだけでほぼ製作が終わるため、工数が削減できると共に高価な専用ランプユニットも不要にできる。
【００５２】
図７は図２の組立分解図において、ベース２に対しプリント基板７及びプリント基板カバー１１を装着した状態で前方から見た平面図、即ち図１において赤色グローブ３を外して前方から見たベース２の正面図である。
【００５３】
このベース２の正面図において、上下左右の４箇所に設けた取付穴１６ａ〜１６ｄによる取付姿勢は、取付時の上となる方向を示す取付マーカ２９ａまたは２９ｂのいずれかとする。この取付例では、取付マーカ２９ａを上とする取付姿勢を例にとっている。
【００５４】
この取付マーカ２９ａで決まる取付姿勢において、光源８を構成する３つの発光ダイオード８ａ〜８ｃは、プリント基板カバー１１のランプ穴１２による位置決めで右上りの斜め４５度方向に一列に配列されている。
【００５５】
図８は図７ベース２の正面図において、光源８を構成する３つの発光ダイオード８ａ〜８ｃを斜め４５度方向に配列する理由を説明する。
【００５６】
図８（Ａ）は図７と同じ本発明による斜め４５度方向の配列を持つ光源８の正面図と、これを赤色グローブ３の取付状態で見た側面図である。このときの側方から見た光源８を構成する３つの発光ダイオード８ａ〜８ｃの上下方向の幅はＤ１となっている。
【００５７】
図８（Ｂ）は比較例であり、光源８として３つの発光ダイオード８ａ〜８ｃを垂直方向に並べている。これを側面から見たときの幅はＤ２と最大になる。図８（Ｃ）は同じく比較例であり、光源８を構成する３つの発光ダイオード８ａ〜８ｃを水平に並べており、この場合、側面から見た上下方向の幅はＤ３と最小になっている。
【００５８】
図８（Ａ）（Ｂ）（Ｃ）において、側面から見た光源８の上下の幅は図８（Ｂ）の垂直方向に並べた場合の幅Ｄ２が最大であり、次に本発明となる図８（Ａ）の斜め４５度の配列による幅Ｄ１であり、最も小さいのは図８（Ｃ）の水平方向の配列の幅Ｄ３である。
【００５９】
しかしながら、図８（Ｂ）の光源８が上下方向で最大幅Ｄ２となる比較例にあっては、ベース２の取付姿勢を９０度間違えると、図８（Ｃ）と同じ上下方向の幅がＤ３と最小になってしまう。
【００６０】
これに対し図８（Ａ）の本発明による斜め４５度の配列にあっては、ベース２の取付位置を正しい位置に対し、９０度、１８０度、あるいは２７０度というように、９０度単位に取付け位置がずれたとしても、光源８を構成する３つの発光ダイオード８ａ〜８ｃの配列方向は、９０度及び２７０度ずれた場合には左上がりで斜め４５度の並びとなり、１８０度ずれた場合には同じく右上がりで４５度の並びとなる。
【００６１】
即ち図８（Ａ）の本発明にあっては、ベース２の取付姿勢がずれても側方から見た光源８の上下方向の幅Ｄ１は変化せず、取付姿勢がずれても側方から見た光源８の視認性を常に同じ状態に維持することができる。
【００６２】
再び図７を参照するに、図示の取付マーカ２９ａによる取付姿勢に対し、取付マーカ２９ｂによる取付姿勢とすると、図示の状態からベース２を右回りに９０度回転することから、光源８を構成する３つの発光ダイオード８ａ〜８ｃ左上がりの斜め４５度の配列となる。
【００６３】
このとき、ベース２の背後に一体に設けている図４の端子部４は、逆の左回りに９０度回転した右上がりの斜め４５度の位置となる。この右上がりの斜め４５度の端子部４においても、配線差込み穴１０ａ〜１０ｄを形成している配線ブロック面１４ｂは下向きに位置している。
【００６４】
この場合にはブロック面１４ｂと１４ｃが屋根を形成し、上方からの水滴が配線ブロック面１４ｄに付着するのを防止する。またリブ１５にあっても、ブロック面１４ｂ，１４ｃに対応する部分が屋根の庇として、上方からの水滴が解除片２０ａ，２０ｂを形成する切欠２１ａ，２１ｂに付着、侵入するのを防止できる。
【００６５】
これに対し、図７における取付マーカ２９ａまたは２９ｂの取付姿勢以外の位置で誤って取り付けた場合には、光源８を構成する３つの発光ダイオード８ａ〜８ｃが斜め４５度方向に並んで側方視認性が維持できる点は問題ないが、図４に示した端子部４の配線ブロック面１４ｄが上向きとなり、上方からの水滴が付着することになる。したがって、水滴に対する端子部４の絶縁性を確保するためには、図７の取付マーカ２９ａまたは２９ｂで決まる取付姿勢を確保しなければならない。
【００６６】
図９は本発明の防災機器用表示灯における発光ダイオードを用いた光源の配置位置の最適化の説明図である。
【００６７】
図９において、ベース２に対する取付面３０を想定すると、本発明の防災機器用表示灯は「周囲照度が３００ルックス以上の室内において、取付面３０と１５度以上の角度となる方向に沿って約１０メートル離れた位置で目視により容易に点灯が確認できること。」が必要となる。
【００６８】
この側方視認性を満足するためには、ベース２の開口部内縁Ｐを通る取付面３０に対する１５度の傾きをもつ直線３１を想定し、この直線３１が光軸３２と交わる点を第１交点Ｑとする。この取付面３０に対し１５度の角度を持つ直線３１の方向で約１０メートル離れた位置から点灯を確認するためには、光源８を構成する発光ダイオードの発光部位が第１交点Ｑより前方に位置しなければならない。即ち、第１交点Ｑより発光ダイオードの発光部位が前方にあれば、取付面３０に対する１５度の方向となる直線３０の延長上での点灯の確認が保証できる。
【００６９】
一方、表示灯を光軸３２に相対する前方から見たときの視認性は、赤色グローブ３の発光面積が大きいほどよい。この前方から見た赤色グローブ３の発光面積を大きくするためには、光源８を構成する発光ダイオードのベース開口面からの高さを低くすればよい。しかしながら、光源８を取付面３０に対し１５度の傾きの直線３１との第１交点Ｑを超えて後退させると、直線３１の方向から見た側方視認性がベース２の開口内縁による遮光で低下する。
【００７０】
そこで、前方からの視認性を高める赤色グローブ３の発光面積が最大で且つ取付面３０対し１５度の傾きをもつ直線３１方向での側方視認性を確保するには、第１交点Ｑの手前付近に光源８を構成する発光ダイオードの発光部位が位置するように配置することが望ましい。
【００７１】
ここで図１１（Ａ）の従来例における発光ダイオード１０７の位置は、ベース１０１の開口面から前方に数ミリメートル程度突出した位置である。この従来の光源位置で発光ダイオード１０７を点灯させたときの前方から見た赤色グローブ３の発光面積はＳ１であり、直径は約５０ミリメートルである。
【００７２】
これに対し、図示のように第１交点Ｑの手前付近に光源８としての発光ダイオードを配置し、これを前方から見た赤色グローブ３の発光面積はＳ２となり、この場合は直径約７０ミリメートルであった。数値的には従来の発光面積Ｓ１に対し本発明による発光面積Ｓ２は約２倍に向上している。
【００７３】
図９の実施形態にあっては、光源８を構成する発光ダイオードの発光部位を第１交点Ｑの前方付近に設けているが図１１の従来例に対し前方視認性を改善できればよいことから、ベース２の開口面と光軸３２の交わる第２交点Ｒまでの間に発光ダイオードの発光部位が位置すれば、十分な前方視認性が得られる。
【００７４】
また図９の実施形態における光源の配置位置の最適化は、光源８として図７のように中央の光軸位置に指向タイプの発光ダイオード８ｂを設け、その両側に拡散タイプの発光ダイオード８ａ，８ｃを設けた３つの発光ダイオードを配列した場合を例にとっているが、配列する発光ダイオードの数は必要に応じて適宜に定めることができ、単一の発光ダイオードであっても十分な発光パワーが得られれば、そのまま適用できる。
【００７５】
また本発明の防災機器用表示灯は、取付面３０からの高さＤが５０〜６５ミリメートル程度で赤色グローブ３の底部の径ｄが６５ミリメートル以上となる寸法条件を満足すれば、それ以外の点については適宜に定めることができる。
【００７６】
【発明の効果】
以上説明してきたように本発明によれば、ベース内部に設ける発光ダイオードを用いた光源として、予め定めた所定の取付姿勢の状態でベース前方から見て斜め４５度の方向に複数の発光ダイオードを配列したことで、壁面や取付ボックスに対する表示灯の取付姿勢が９０度ごとにずれた姿勢で取り付けられていても、複数の発光ダイオードはベース前方から見て常に斜め４５度方向に並んでおり、この発光ダイオードを側方から見た場合の上下方向の発光部位の幅は常に同じとなり、表示灯の取付姿勢がずれても、側方からみた表示灯の視認性を適切に確保することができる。
【００７７】
また、外部からの電源線を接続するベース背後に一体に設けられた端子部として、ベース背後から見て斜め４５度方向に矩形ブロックを傾けて形成し、この矩形ブロックにおける斜め下向きの面を配線差込み穴を設ける配線ブロック面とすることで、上方からの水滴を屋根型に配置された上向きのブロック面で受けて落下させ、配線差込み穴を備えた下向きの配線ブロック面に対する水滴の付着を確実に防止し、端子部の絶縁性を向上させることができる。
【００７８】
また端子部は、配線ブロック面に形成した配線差込み穴から挿入される電源線を装着して接続固定し、ブロック背面に一体に形成した解除片の押圧で電源線の接続固定を解除する配線接続機構を内蔵したことで、従来のように接続ネジによる接続部分が外部に露出することがなく、長期間使用した場合の腐食と絶縁性の低下を抑えることができる。
【図面の簡単な説明】
【図１】本発明の防災機器用表示灯の側面及び正面図
【図２】本発明の防災機器用表示灯の組立分解図
【図３】本発明の防災機器用表示灯の断面図
【図４】本発明の防災機器用表示灯の図１の背面図
【図５】図２のプリント基板の説明図
【図６】カバー背後の端子部に対する配線接続作業の説明図
【図７】赤色グローブを外して前方から見たカバー正面図
【図８】本発明で発光ダイオードを斜め４５度方向に配列した場合の側方視認性を、垂直配置及び水平配置の比較例と共に示した説明図
【図９】カバーに対する光源の最適配置の説明図
【図１０】従来例の正面及び側面図
【図１１】従来例の断面及び背面図
【符号の説明】
１：防災機器用表示灯
２：ベース
２ａ：ネジ穴
３：赤色グローブ
３ａ：ネジ部
４：端子部
５：回路収納部
６：開口部
７：プリント基板
８：光源
８ａ，８ｃ：発光ダイオード（指向タイプ）
８ｂ：発光ダイオード（拡散タイプ）
９ａ，９ｂ：配線接続機構
１０ａ〜１０ｄ：配線差込み穴
１１：プリント基板カバー
１２：ランプ穴
１３：係止片
１４：矩形ブロック
１４ａ〜１４ｃ：ブロック面
１４ｄ：配線ブロック面
１５：リブ
１６ａ〜１６ｄ：取付穴
１７ａ，１７ｂ：取付丸穴
１８：ストリップマーカ
１９：係止穴
２０ａ，２０ｂ：解除片
２１ａ，２１ｂ：切欠
２２：電源線
２３：芯線
２４：ドライバ
２５ａ〜２５ｄ：板バネ
２６ａ，２６ｂ：端子板
２７：バネ端部
２８：バネ保持部
２９：取付マーカ
３０：取付面
３１：直線
３２：光軸
【図１】
0003595170.tif 000002
【図２】
0003595170.tif 000003
【図３】
0003595170.tif 000004
【図４】
0003595170.tif 000005
【図５】
0003595170.tif 000006
【図６】
0003595170.tif 000007
【図７】
0003595170.tif 000008
【図８】
0003595170.tif 000009
【図９】
0003595170.tif 000010
【図１０】
0003595170.tif 000011
【図１１】
0003595170.tif 000012